(57)【要約】【課題】複数の子機に対する通信設定のための情報を管理しやすく、子機の通信設定が容易に実行可能であり、通信設定を実行する子機を任意に選択できるネットワークシステム及びネットワーク設定方法を提供することである。【解決手段】親機２に少なくとも１つ以上の設定情報を保存する第１の情報保存手段と、第１の情報保存手段に保存された全ての設定情報を各子機３に一括して送信する第１の情報送信手段とを備えさせ、各子機３には受信した全ての設定情報を保存する第２の情報保存手段を備えてさせて、複数の設定情報を予め第１の情報保存手段に記録し、前記情報送信手段により各子機３に第１の情報保存手段に保存された全ての設定情報を一括して送信し、受信した全ての設定情報を各子機３の第２の情報保存手段に保存する。【選択図】図１
2010258796.tif 000002
【特許請求の範囲】
【請求項１】
親機と複数の子機を備え、子機をネットワークに接続する際に、当該子機に固有の設定情報を必要とするネットワークシステムにおいて、前記親機は少なくとも１つ以上の設定情報を保存する第１の情報保存手段と、第１の情報保存手段に保存された全ての設定情報を各子機に一括して送信する第１の情報送信手段とを備え、各子機は受信した全ての設定情報を保存する第２の情報保存手段を備えており、
複数の設定情報が予め第１の情報保存手段に記録されており、前記情報送信手段が各子機に第１の情報保存手段に保存された全ての設定情報を一括して送信し、受信した全ての設定情報を各子機の第２の情報保存手段に保存することを特徴とするネットワークシステム。
【請求項２】
前記各子機は、複数の設定情報から他の子機の通信設定に使用されていない設定情報を判別する設定情報判別手段と、自身の通信設定に使用した設定情報を特定可能な情報を親機に送信する設定情報送信手段とを備えており、
前記親機は、設定情報と該設定情報が子機の通信設定に使用されているか否かを示す情報を一括して保存する情報追記手段を備えており、
いずれかの子機において、通信設定を行った際に、通信設定に使用した設定情報を特定可能な情報を前記設定情報送信手段によって親機に送信し、親機が設定情報と該設定情報が使用済であるか否かを示す情報を一括して保存することを特徴とする請求項１に記載のネットワークシステム。
【請求項３】
前記ネットワークシステムに赤外線通信を用いたことを特徴とする請求項１又は２に記載のネットワークシステム。
【請求項４】
前記ネットワークシステムにシリアル通信を用いたことを特徴とする請求項１又は２に記載のネットワークシステム。
【請求項５】
前記ネットワークシステムに、前記設定情報を紙面から入手することができる読み込み手段を設けたことを特徴とする請求項１乃至４のいずれかに記載のネットワークシステム。
【請求項６】
前記ネットワークシステムに、前記設定情報を記号情報から入手することができる読み込み手段を設けたことを特徴とする請求項１乃至５のいずれかに記載のネットワークシステム。
【請求項７】
前記ネットワークシステムに、前記設定情報を磁気記憶媒体から入手することができる読み込み手段を設けたことを特徴とする請求項１乃至６のいずれかに記載のネットワークシステム。
【請求項８】
請求項１乃至７のいずれかに記載のネットワークシステムを用いることを特徴とするネットワーク設定方法。
【発明の詳細な説明】
【技術分野】
【０００１】
本発明は、マスタ機器と複数の端末との間で通信を行う際の通信設定の方法に関するものである。
【背景技術】
【０００２】
通信システムにおいて、機器構成の変更時や通信経路の変更時に、中継器の機器情報の設定を行う際に、短時間で接続設定を成し得たいという要求があり、効率のよい接続設定を実施できるシステム（効率のよい接続設定を行う方法）として、特許文献１に開示されているネットワークシステム（無線設定情報設定方法）がある。
【０００３】
この特許文献１に記載のシステム及び方法は、各子機（端末）が有線インターフェースを介して子機自身の機器アドレス情報を含む自動設定要求パケットを親機に送信すると、親機は送信された情報を登録後、各子機についての機器アドレス情報と共通設定情報を各子機に送信し、各子機で送信された情報を登録記憶するというものである。
【０００４】
このシステム（方法）は、子機をネットワークに接続すると自律的に必要な情報の登録記憶を行うため、クライアント側（子機側）のシステム使用者は、ネットワーク管理者が必要とする知識が不要になる。さらに、空いているアドレス等を見つける作業が不要になるため、効率よく接続設定を実施できるという効果がある。
【先行技術文献】
【特許文献】
【０００５】
【特許文献１】特開２００６−１９７０６０号公報
【発明の概要】
【発明が解決しようとする課題】
【０００６】
しかし、特許文献１に開示されているシステム及び通信設定の方法では、各子機において自動で登録記憶するので、通信設定を望まない子機（例えば、設置のみ行っておいて、後に必要に応じて通信設定を行いたい端末）等も設定を実施してしまうという問題があった。
【０００７】
そこで本発明は、空いているアドレス等を調べる作業や、ネットワーク管理者が必要とする知識が不要である容易な通信設定が可能であり、且つ、任意の子機にのみ通信設定が可能なネットワークシステム及びネットワーク設定方法を提供することを目的とする。
【課題を解決するための手段】
【０００８】
上記課題を解決するための請求項１の発明は、親機と複数の子機を備え、子機をネットワークに接続する際に、当該子機に固有の設定情報を必要とするネットワークシステムにおいて、前記親機は少なくとも１つ以上の設定情報を保存する第１の情報保存手段と、第１の情報保存手段に保存された全ての設定情報を各子機に一括して送信する第１の情報送信手段とを備え、各子機は受信した全ての設定情報を保存する第２の情報保存手段を備えており、複数の設定情報が予め第１の情報保存手段に記録されており、前記情報送信手段が各子機に第１の情報保存手段に保存された全ての設定情報を一括して送信し、受信した全ての設定情報を各子機の第２の情報保存手段に保存することを特徴とするネットワークシステムである。
【０００９】
本発明のネットワークシステムでは、親機が保存する全ての設定情報を全ての子機で保存するので、親機で保存している設定情報が破損、消失してもただちに子機の情報から復元できる。そのため、ネットワークシステム運用時の安全性が向上する。また、すべての設定情報を一括して保存、送信するので、子機の数が増減等により設定情報が増減した場合や、設定情報が変更された場合においても、設定情報を個別に管理した場合と比べて情報の管理が容易である。
【００１０】
請求項２の発明は、前記各子機は、複数の設定情報から他の子機の通信設定に使用されていない設定情報を判別する設定情報判別手段と、自身の通信設定に使用した設定情報を特定可能な情報を親機に送信する設定情報送信手段とを備えており、前記親機は、設定情報と該設定情報が子機の通信設定に使用されているか否かを示す情報を一括して保存する情報追記手段を備えており、いずれかの子機において、通信設定を行った際に、通信設定に使用した設定情報を特定可能な情報を前記設定情報送信手段によって親機に送信し、親機が設定情報と該設定情報が使用済であるか否かを示す情報を一括して保存することを特徴とする請求項１に記載のネットワークシステムである。
【００１１】
本発明のネットワークシステムでは、子機で通信設定を行うことで、変更される設定情報の更新を親機で行う。即ち、各子機の通信設定による設定情報の更新を、全て親機で行うことにより、各子機でそれぞれ設定情報の内容を更新する場合に比べて、情報の管理（ファイルの同期）が容易である。
【００１２】
また、設定情報と該設定情報が使用済であるか否かを示す情報を一括して保存することにより、通信設定に係る情報をまとめて管理できるため、それぞれ別に保存する場合に比べて情報の管理が容易である。
【００１３】
請求項３の発明は、前記ネットワークシステムに赤外線通信を用いたことを特徴とする請求項１又は２に記載のネットワークシステムである。
【００１４】
本発明のネットワークシステムでは、赤外線通信を用いているため、通常の電波による通信に比べ、秘匿性の高い通信で本発明のネットワークシステムを実施することができる。
【００１５】
請求項４の発明は、前記ネットワークシステムにシリアル通信を用いたことを特徴とする請求項１又は２に記載のネットワークシステムである。
【００１６】
本発明のネットワークシステムでは、シリアル通信を用いているため、本発明のネットワークシステムを有線通信で実施した場合、ＲＳ２３２ＣインターフェースやＵＳＢインターフェースを用いた通信の様に、Ｅｔｈｅｒｎｅｔ（登録商標）を利用した通信等より接続が容易な通信で本発明のネットワークシステムを実施することができる。
【００１７】
請求項５の発明は、前記ネットワークシステムに、前記設定情報を紙面から入手することができる読み込み手段を設けたことを特徴とする請求項１乃至４のいずれかに記載のネットワークシステムである。
【００１８】
本発明のネットワークシステムでは、前記設定情報を紙面から入手することができる読み込み手段を設けているため、キーボート等の入力装置を操作して設定情報を入力する場合に比べて、設定情報の入力が容易である。
【００１９】
請求項６の発明は、前記ネットワークシステムに、前記設定情報を記号情報から入手することができる読み込み手段を設けたことを特徴とする請求項１乃至５のいずれかに記載のネットワークシステムである。
【００２０】
本発明のネットワークシステムでは、前記設定情報を記号情報から入手することができる読み込み手段を設けているため、設定情報を記号化できる。そのため、設定情報の内容を記号化しない場合に比べて、目視による情報の内容の確認が困難であるため安全性が高い。
【００２１】
請求項７の発明は、前記ネットワークシステムに、前記設定情報を磁気記憶媒体から入手することができる読み込み手段を設けたことを特徴とする請求項１乃至６のいずれかに記載のネットワークシステムである。
【００２２】
本発明のネットワークシステムでは、前記設定情報を磁気記憶媒体から入手することができる読み込み手段を設けていることにより、設定情報を紙面に記述する場合に比べて情報の管理が容易である。
【００２３】
請求項８の発明は、請求項１乃至７のいずれかに記載のネットワークシステムを用いることを特徴とするネットワーク設定方法である。
【００２４】
本発明のネットワーク設定方法は、上記した請求項に記載したネットワークシステムを使用して実施されるため、従来のネットワーク設定方法に比べて、設定情報の管理が容易であり、運用時の安全性が高く、保守が容易である。
【発明の効果】
【００２５】
本発明によれば、ネットワーク管理者が有する知識を必要としない通信設定が可能であり、且つ、任意の子機にのみ通信設定が可能であり、通信設定に使用する情報の管理が容易であるネットワークシステム及びネットワーク設定方法を提供することができる。
【図面の簡単な説明】
【００２６】
【図１】本発明の一実施形態にかかるネットワークシステムの構成を示す図である。
【図２】親機の構成を概念的に示した説明図である。
【図３】子機の構成を概念的に示した説明図である。
【図４】設定ファイルの記述内容を示した説明図である。
【発明を実施するための形態】
【００２７】
本発明の一実施形態にかかるネットワークシステム、並びにネットワーク設定方法の提供方法について図面を参照しながら詳細に説明する。図１は、本実施形態のネットワークシステム１の構成の概略を示す概念図である。図１に示す様にネットワークシステム１は、親機２、子機３（３ａ〜３ｆ）、入力装置４を備えており、親機２と入力装置４はそれぞれデータが送受信可能な状態で接続されている。また、子機３ａ〜３ｆにはそれぞれスイッチ５ａ〜５ｆが設けられている。
【００２８】
親機２は、第１の情報保存手段２０、第１の情報送信手段２１、第２の情報送信手段２２、情報追記手段２３を有している。親機２として使用するハードウェアは、演算能力を有する電子機器であり、例えば、従来周知のパーソナルコンピュータに無線ＬＡＮアクセスポイントや赤外線インターフェースを接続して使用してもよいし、それらの機能を持つ専用の機器を構成してもよい。つまり、親機２は、前述した各手段を有するハードウェアであればよい。
【００２９】
第１の情報保存手段２０は、従来周知のメモリやハードディスク等の記憶媒体、又は記録媒体からなり、設定ファイル４０を保存するものである。第１の情報送信手段２１は、子機３に対して個別の設定値を必要としない通信手段によって、特定の子機３にファイル４０を送信するものである。子機３に対して個別の設定値が必要ない通信手段とは、本実施形態で使用するＩｒＤＡ（Ｉｎｆｒａｒｅｄ  Ｄａｔａ  Ａｓｓｏｃｉａｔｉｏｎ）の規格に基づく赤外線通信のように、ＩＰアドレスやサブネットマスク等の機器（本実施形態における子機３）を識別するために使用する値を、機器（子機３）に割り当てることなくデータ（設定ファイル４０）の送受信が可能な通信手段である。
【００３０】
第２の情報送信手段２２は、後述する設定情報４５に基づいて実施される通信によって指定した子機３に設定ファイル４０を送信するものである。なお、本実施形態では、ＩＥＥＥ８０２．１１諸規格に準拠する機器で構成される無線ＬＡＮネットワークによってファイルを送信するものである。情報追記手段２３は、設定ファイル４０に格納された任意の情報に対して追加、上書き、削除等の更新を行うものである。子機３は、設定情報保存手段２５、設定情報送信手段２６、設定情報判別手段２７、通信設定実行手段２８を備えており、設定用スイッチ５（５ａ〜５ｆ）を有している。
【００３１】
設定情報保存手段２５は、従来周知のメモリやハードディスク等の記憶媒体や記録媒体から成り、設定ファイル４０を保存するものである。設定情報送信手段２６は、後述する設定情報４５に基づいて実施される通信によって、指定した子機３に設定ファイル４０を送信するものである。なお、本実施形態では、ＩＥＥＥ８０２．１１諸規格に準拠する機器で構成される無線ＬＡＮネットワークによってファイルを送信するものである。設定情報判別手段２７は、後述する設定情報４５の特定の項目の値を用いて、その設定情報４５がすでに自身以外の子機３（例えば自身が子機３ａであれば子機３ｂ〜子機３ｆのいずれか）で使用されているか否かを判別するものである。
【００３２】
通信設定実行手段２８は、設定ファイルから特定の値（ＩＰアドレスやサブネットマスク等の通信設定に必要な値）を取得して当該子機３の通信設定を実行するものである。入力装置４は、従来公知のスキャナであり、紙面に記述されたデータを読み込んで、デジタルデータとして取り扱うことができる。
【００３３】
設定ファイル４０は、後述する設定情報４５を記憶するために使用されるファイルであり、複数の設定情報４５を格納可能である。なお、この設定ファイル４０の格納形式は、任意に設計可能であるが、具体的な例としてＣＳＶ（Ｃｏｍｍａ  Ｓｅｐａｒａｔｅｄ  Ｖａｌｕｅ）形式のテキストファイルを採用することができる。
【００３４】
このＣＳＶ形式は、カンマで区切って内容を示す情報を記述することで、記述された位置からその内容に関する情報が何の内容に関する情報であるのか識別可能な形式である。また、カンマで区切られた内容を示す情報は、それぞれ個別に追加、上書き、削除等が可能である。
【００３５】
設定情報４５は、親機２と子機３の間、または各子機３の間（例えば子機３ａと子機３ｂの間）で通信を行う際の通信の取り決めに関する情報である。例えば、ＩＰアドレス（Ｉｎｔｅｒｎｅｔ  Ｐｒｏｔｏｃｏｌ  Ａｄｄｒｅｓｓ）や、サブネットマスク等のネットワーク上で機器を識別するための情報や、デフォルトゲートウェイや動作モード（アドホックモード（Ａｄｈｏｃ  ｍｏｄｅ）やインフラストラクチャーモード（Ｉｎｆｒａｓｔｒｕｃｔｕｒｅ  ｍｏｄｅ））等の通信経路に関する情報等が挙げられる。さらに、ＩＥＥＥ８０２．１１ｂやＩＥＥＥ８０２．１１ｇ等の通信で使用する規格に関する情報や暗号化の有無等の通信の安全性に関する情報などが設定情報４５に含まれる。
【００３６】
つまり、設定情報４５は通信を行うために必要な情報であり、第１の情報保存手段２０や設定情報保存手段２５に保存されている。この設定情報４５を通信に使用される周知のソフトウェアが使用することによりネットワーク上において機器間のデータのやり取りが可能になる。
【００３７】
以下、上記したネットワークシステム１を用いて通信設定を行った場合の動作について、詳細に説明する。まず、紙面に表形式で記述した設定情報４５を入力装置４で入力し、設定ファイル４０を作成する。このとき、ネットワークシステム１には図示しない従来周知のＯＣＲソフトウェアがインストールされたコンピュータを有しており、該ソフトウェアが読み込んだ紙面の設定情報をテキストデータに変換することで、設定ファイル４０が作成される。
【００３８】
ここで、本実施形態において、設定ファイル４０はＣＳＶ形式のテキストファイルであり、図４で示される様に、ＩＤ（Ｉｄｅｎｔｉｆｉｃａｔｉｏｎ）、ＩＰアドレス、サブネットマスク、デフォルトゲートウェイ、通信方式、動作モード、暗号化の有無、使用フラグの設定値を項目毎にカンマで区切って記述する。このとき、同じ行にカンマで区切って記述された設定値の集まりが１台の子機で使用する１件のデータとなり、この１件のデータが設定情報４５である。
【００３９】
ここで、各項目について説明すると、「ＩＤ」の項目は整数であり、それぞれの行において、他の行で使用されていない数が記述されている。すなわち、「ＩＤ」の項目はデータ自身（設定情報４５）を特定する固有の情報が記述される。「ＩＰアドレス」、「サブネットマスク」、「デフォルトゲートウェイ」の項目は０から２５５までの何れかの数が四つずつピリオドで区切られて記述されている。「通信方式」の項目は「１１ｂ」又は「１１ｇ」の何れかが記述されており、それぞれ、ＩＥＥＥ８０２．１１ｂ、ＩＥＥＥ８０２．１１ｇの規格に基づいて通信が実行されること示している。「動作モード」の項目は「ＡｄＨｏｃ」又は「Ｉｎｆｒａｓｔｒｕｃｔｕｒｅ」の何れかが記述されており、それぞれ、アドホックモード、インフラストラクチャーモードで通信が行われることを示している。「暗号化の有無」と「使用フラグ」の項目には「ｔ」又は「ｆ」の何れかが記述される。「暗号化の有無」の項目において、「ｔ」は暗号化して通信することを示し、「ｆ」は通信時に暗号化しないことを示す。また、「使用フラグ」の項目で「ｔ」が記述された行の設定情報４５は、すでに何れかの子機３で使用されていることを示し、「ｆ」が記述された行の設定情報４５は未使用であることをそれぞれ示す。
【００４０】
なお、本実施形態では子機３ａ〜３ｆで設定情報４５が夫々一つずつ使用されることを想定して、設定情報４５ａ〜設定情報４５ｆまでの６行が記述されている。設定ファイル４０が作成されると、親機２が有する第１の情報保存手段２０に、設定ファイル４０が記憶される。親機２に設定ファイル４０が記憶された状態で、子機３が有している設定用スイッチ５（図１における５ａ〜５ｆの内の一つ）を押下すると、設定用スイッチ５を押下された子機３の通信設定が開始される。即ち、設定を行う子機３は任意に決定することができる。
【００４１】
例えば、子機３ａの設定用スイッチ５ａが押下されると、赤外線通信による設定用の通信が開始され、親機２は第１の情報送信手段２１により、子機３ａに設定ファイル４０を送信する。そして、子機３ａは設定情報保存手段２５に設定ファイル４０を記憶し、設定用の通信が終了する。
【００４２】
そして、子機３ａの設定情報判別手段２７が、子機３ａに記憶した設定ファイル４０から、格納されている設定情報４５（図４における４５ａ〜４５ｆ）の中で使用フラグの項目が「ｆ」と記述されているものを一つ無作為に選択する。そして通信設定実行手段２８が、選択された設定情報４５のＩＰアドレスやサブネットマスク等の各項目の値を取得して、子機３ａの通信設定を行う。
【００４３】
子機３ａで通信設定が行われると、無線ＬＡＮによる通常通信が開始される。そして、選択された設定情報４５のＩＤの項目の値を、子機３ａが設定情報送信手段２６により親機２に送信する。換言すると、子機３で使用した設定情報４５を特定する情報が親機２に送信される。親機２が設定情報４５のＩＤの項目の値を受信すると、親機２の情報追記手段２３が受信した情報を基に、親機２が有する第１の情報保存手段２０に保存された設定ファイル４０を更新する。
【００４４】
具体的に説明すると、情報追記手段２３は、該設定ファイル４０に格納された設定情報４５の内、受信した値から子機３で使用された設定情報４５（図４における４５ａ〜４５ｆの何れか）を特定して、該当する設定情報４５の使用フラグの項目を「ｆ」から「ｔ」に変更し、設定ファイル４０を更新する。
【００４５】
親機２で設定ファイル４０が更新されると、親機２は設定ファイル４０に格納されている全ての設定情報４５を参照して、子機３の内、すでに通信設定を行った子機３に対して第２の情報送信手段２２により設定ファイル４０を送信する。親機２より更新された設定ファイル４０を送信された各子機３は、設定情報保存手段２５の設定ファイル４０をそれぞれ記憶（上書き保存）され、１つの子機に対する通信設定の動作が終了する。即ち、親機２が設定ファイル４０を記憶している状態で、通信に使用する子機３が有している設定用スイッチ５を押下すると、設定用スイッチ５を押下された子機３の通信設定が行われ、該子機３を用いた通常通信が可能となる。
【００４６】
また、いくつかの子機３に対して通信設定が行われている状態から、さらに別の子機３に対して通信設定を行いたい場合も、追加したい子機３の設定用スイッチ５を押下すればよい。すると、ネットワークシステム１は一時的に通常通信を停止し、親機２と増設した子機３との間で、設定用通信が開始され、前記した通信設定が行われ、追加したい子機３を用いた通常通信が可能となる。
【００４７】
本発明のネットワークシステム１では、すべての子機３に最新の設定情報４５が記述された設定ファイル４０が記憶される。そのことにより、ネットワークシステム１の何れかの機器において、設定ファイル４０が破損した場合でも他の機器の設定ファイル４０を使用して容易に復元可能であるので、ネットワークシステム１の運用時における安全性を高めることができる。また、子機３の使用者は設定用スイッチ５を押下するだけで、子機３の通信設定を行うことが可能であるため、通信設定を行う際に通信に関する知識を必要としない。
【００４８】
本実施形態では、第１の情報送信手段に赤外線通信を用いたが、第１の情報送信手段の通信方法はこれに限るものではない。例えば、Ｂｌｕｅｔｏｏｔｈ規格による通信でもよいし、ＵＳＢインターフェースやＲＳ２３２Ｃインターフェースを用いて親機２と子機３をケーブルで接続したり、また、親機２と子機３にＥｔｈｅｒｎｅｔ（登録商標）通信用のポートを設けてＬＡＮケーブル（クロスケーブル）で接続したりして通信してもよい。つまり、設定情報４５に記述する情報を用いずに通信できればよい。
【００４９】
本実施形態では、設定ファイル４０には６つの設定情報４５を記述したが、設定ファイル４０に格納する設定情報４５の数はこれに限るものではない。即ち、設定ファイル４０のデータは任意の行数を記述可能であり、設定したい子機の数に応じて行数は自由に変更可能である。また、設定ファイル４０は設定情報４５の追加や削除が可能であり、新たにデータを１行追加することで設定情報４５が追加され、不要な行を削除することで設定情報が削除される。
【００５０】
本実施形態では、入力装置４に従来周知のスキャナを用いて、紙面に表形式で記述した設定情報４５を取得したが、設定情報４５の記述方法や取得方法はこれに限るものではない、例えば、ＱＲコード（株式会社デンソーウェーブの登録商標）やバーコード等の記号情報により記述した設定情報４５を、これらを読み込み可能な機器により取得してもよい。また、従来周知のＩＣチップやＣＤ、ＤＶＤ等の磁気記憶媒体に設定情報４５の内容を記録し、ＲＦＩＤ（Ｒａｄｉｏ Ｆｒｅｑｕｅｎｃｙ Ｉｄｅｎｔｉｆｉｃａｔｉｏｎ）技術を用いた専用のリーダーや、ＤＶＤドライブなどで情報を取得してもよい。
【００５１】
また、入力装置４の配置位置も図１で示される位置に限るものではない。例えば子機に入力装置を接続して、子機３から親機２へ取得した設定情報４５を送信してもよい。つまり、入力装置４はデータが最終的に親機２へ送受信可能な状態で接続されていればよい。また、この入力装置４は、常にネットワークシステム１に接続された状態でなくてもよい。つまり、設定情報４５を取得するときのみ接続して、使用しない間接続を解除してもよい。即ち、入力装置４は必要に応じて取り外し可能に設けてもよい。
【００５２】
以上、説明したネットワークシステムは、例えば工場や事業所の任意の場所の温度（例えば各部屋の温度、冷蔵庫など機器の内部や機器の周辺の温度）を計測する温度センサに使用することができる。すなわち、本発明を実施することにより各温度センサ（子機）が計測したデータが親機に送信され、親機は送信元の温度センサの設置場所を設定情報によって特定可能であり、当該温度センサが設置された場所の温度情報を取得することができる。
【符号の説明】
【００５３】
１  ネットワークシステム
２  親機
３  子機
４  入力装置
５  設定用スイッチ
２０  第１の情報保存手段
２１  第１の情報送信手段
２２  第２の情報送信手段
２３  情報追記手段
２５  設定情報保存手段
２６  設定情報送信手段
２７  設定情報判別手段
２８  通信設定実行手段
４０  設定ファイル
４５  設定情報
【図１】
2010258796.tif 000003
【図２】
2010258796.tif 000004
【図３】
2010258796.tif 000005
【図４】
2010258796.tif 000006